(57)【要約】      （修正有）【課題】発熱線をパッド上に固定し、発熱効果を均等化する。パッドにかかった重圧で生じる発熱線や電線の折れや断線を防止して、短絡の発生や発熱機能の喪失をなくすよう構成した発熱パッドを提供する。【解決手段】この発熱パッドは、上面に切取り線が形成される弾性体からなるパッド体３００と、切取り線内に設けられる少なくとも１つの発熱線４１０、発熱線の両端にそれぞれ接続されるメス側コネクター４２、及びメス側コネクターに差し込み、発熱線に電源を送るためのオス側コネクター４３を有する発熱部品と、切取り線内に塗布され、切取り線、切取り線内の発熱線、電線に付着される、接着材料からなる接着層とを備えてなる。【選択図】図１０
0003168324.tif 000002
【実用新案登録請求の範囲】
【請求項１】
２つの接着フィルムが高周波溶着によりラミネートされてなるラミネート層と、
少なくとも、フレキシブルな炭素繊維、金属繊維又はグラファイト繊維の何れかの一つの発熱線を含み、前記ラミネート層の中に固定される発熱部品と、
前記発熱線の両端にそれぞれ端子を介して接続され、電流パスを形成する２本の電線、及び前記２本の電線に接続される第１コネクターと、
前記第１コネクターに差し込み、前記発熱線に電源を送るための第２二コネクター、前記第２コネクターに１本の電線で接続される変圧器及びプラグと、
前記ラミネート層の前記２本の電線が挿通される部分に付着される、防水材料からなる接着層と、
を備えてなる、
ことを特徴とする発熱パッド。
【請求項２】
接着フィルムの平面上に少なくとも２つの穴が設けられることを特徴とする請求項１に記載の発熱パッド。
【請求項３】
接着フィルムは、透明又は不透明の耐高温プラスチック、シリコン又はゴムの何れかの一つで成形されることを特徴とする請求項１に記載の発熱パッド。
【請求項４】
第２コネクターと変圧器との間に温調器が接続されることを特徴とする請求項１に記載の発熱パッド。
【請求項５】
上面に切取り線が形成される弾性体からなるパッド体と、
前記パッド体の前記切取り線内に設けられる少なくとも１つの発熱線、前記発熱線の両端にそれぞれ接続されるメス側コネクター、及び前記メス側コネクターに差し込み、前記発熱線に電源を送るためのオス側コネクターを有する発熱部品と、
前記パッド体上の前記切取り線内に塗布され、前記切取り線、前記切取り線内の発熱線及び前記発熱線に接続される前記２本の電線に付着される、接着材料からなる接着層と、
を備えてなる、
ことを特徴とする発熱パッド。
【請求項６】
パッド体は、背中パッド、イスパッド、座席パッド、ソファシート、エクササイズシート、床パッド又はベッドパッドのいずれかの一つであることを特徴とする請求項５に記載の発熱パッド。
【請求項７】
発熱線は、フレキシブルな炭素繊維、金属繊維又はグラファイト繊維の何れか１つの発熱線であることを特徴とする請求項５に記載の発熱パッド。
【請求項８】
メス側コネクターに前記メス側コネクターと発熱線の両端を結ぶための電線を２本有することを特徴とする請求項５に記載の発熱パッド。
【請求項９】
オス側コネクターに１本の電線により変圧器及びプラグが接続されることを特徴とする請求項５に記載の発熱パッド。
【請求項１０】
オス側コネクターと変圧器との間に温調器が接続されることを特徴とする請求項９に記載の発熱パッド。
【請求項１１】
パッド体の端面上に切取り線の両端が開口されて固定口が設けられることを特徴とする請求項８に記載の発熱パッド。
【請求項１２】
固定口に発熱線の両端に接続される２本の電線を固定するための固定部が設けられることを特徴とする請求項１１に記載の発熱パッド。
【考案の詳細な説明】
【技術分野】
【０００１】
本考案は発熱パッドに関する。
【背景技術】
【０００２】
図１４に従来の発熱装置の第１の例を示している。この発熱装置は金属発熱線１０が格子状の網１２の上に縫い線１１で縫われており、これが保温物の中に設けられて、保温物に暖房効果を持たせるようになっている。この場合、保温物は、イスパッド又はベッドパッドなどである。
【０００３】
図１５、図１６に従来の発熱装置の第２の例を示している。この発熱装置は、銀ペースト２０が印刷で一方の層をなす接着フィルム２０ａ上に塗布されて発熱回路が形成され、これと他方の層をなす接着フィルム２０ｂが張り合わされてから切断されることになり、応力による形状が生じにくいから、該発熱装置より見た目がよく、銀ペースト２０が印刷で塗布されるので、発熱が均一に行なわれる。
【０００４】
図１７、図１８に従来の発熱装置の第３の例を示している。この発熱装置は、金属合金線３０を必要な形に形成してから、二層の接着フィルム３０ａ、３０ｂによりラミネートすることで、金属合金線３０が接着フィルム３０ａ、３０ｂの中に封入され、これがさらに人間工学に基づく形の発熱装置３１に切断されることになるから、複雑な形状に成形されるほか、全体がさらに均等に発熱する。
【考案の概要】
【考案が解決しようとする課題】
【０００５】
しかしながら、上記従来の発熱装置では次のような問題がある。
（１）第１の例の発熱装置の場合、金属発熱線１０が格子状の網１２の上に縫い線１１で縫われているので、粗雑で見た目が悪い上、多くの時間をかけて縫わなければならないから、価格も高く、大量生産が不可能で、製造コストが高くなる。また、この場合、金属発熱線１０の合金線の外側にプラスチック層が被覆されており、プラスチックは発火点が低いため、燃えやすく、危ない。さらに、プラスチック層が厚いため、熱伝導が遅く、電力がかかる。このようなプラスチック層の上に縫われるから、見た目も悪くなる。
（２）第２の例の発熱装置の場合、イスパッド、座席パッド、ソファシート、エクササイズシート、雪除去シート、ベッドパッド又はその他の保温物の上に発熱設備として用いられるため、この発熱装置に重圧がかかると、銀ペースト２０が折れたり、銀ペースト２０の電気回路にひびなどが生じたりするため、短絡したり、発熱機能が喪失したりすることがある。また、この場合、印刷で塗布した銀ペースト２０の厚さを均等にしないと、高温になったり、低温になったりする箇所が生じ、快適さや安全性を損ねる恐れがある。
（３）第３の例の発熱装置の場合、第２の例の場合と同様に、発熱装置に重圧がかかると、金属合金線３０が折れたり断線したりするため、短絡したり発熱機能が喪失したりすることがあり、快適さや安全性を損ねる恐れがある。
【０００６】
本考案は、このような従来の問題を解決し得る発熱パッドを提供すること、を目的とする。
【課題を解決するための手段】
【０００７】
上記目的を達成するために、本考案の発熱パッドは、高周波溶着によりラミネートされ、二つの接着フィルムからなるラミネート層の中に固定される発熱部品が備わり、該発熱部品は少なくとも、フレキシブルな炭素繊維、金属繊維またはグラファイト繊維の何れかの一つの発熱線が含まれているが、二本の電線がそれぞれ端子を通じて、発熱線の両端に接続して、電流パスが形成される第一コネクターが備わり、該第一コネクターの上に差し込まれ、電源を発熱線に送るための第二コネクターが備わり、該第二コネクターは一本の電線で、変圧器とプラグと接続しているが、そして、防水材料で、二本の電線と発熱パッドの繋ぎ目を付着させるようにする接着層が備わっていることを特徴とする。
【０００８】
また、この発熱パッドは各部が次のように構成される。
（１）接着フィルムの上には少なくとも、二つの開き穴が設けられている。
（２）接着フィルムは、透明または不透明の耐高温プラスチック、シリコンまたはゴムの何れかの一つで成形されている。
（３）第二コネクターと変圧器との間に温調器が接続されている。
（４）上に切取り線が設けられる弾性体のパッド体、少なくとも切取り線内に設けられる一発熱線、発熱線の両端をつなぐための一メスコネクター、発熱部品に電源を送るためにメスコネクターの上に差し込まれるオスコネクターを備えてなる一発熱部品、及びパッド体の上にある切取り線内に塗布されている接着材料からなり、切取り線、切取り線内の発熱線、そして発熱線をつなぐための二電線を付着させるように設けられている接着層を備えてなる。
（５）パッド体は、背中パッド、イスパッド、座席パッド、ソファシート、エクササイズシート、床パッドまたはベッドパッドのいずれかの一つである。
（６）発熱線は、フレキシブルな炭素繊維、金属繊維またはグラファイト繊維の何れかの一つの発熱線である。
（７）メスコネクターの上には、発熱線の両端を結ぶための電線が二本設けられている。
（８）オスコネクターの上には一本の電線が設けられ、該オスコネクターは電線によって、変圧器とプラグに接続されている。
（９）オスコネクターの上には一本の電線が設けられ、該オスコネクターは電線によって変圧器に接続されているが、オスコネクターと変圧器との間に温調器が接続されている。
（１０）切取り線の両端の開口はパッド体の端面の上に設けられ、切取り線の両端の開口のところに固定口が設けられている。
（１１）固定口の上には、発熱線の両端にある二本の電線を結び付けるための固定部が設けられている。
【考案の効果】
【０００９】
本考案は上記の構成により、発熱線を発熱パッドの上に固定させ、発熱効果を均等化し、銀ペーストの電気回路または金属合金線にかかった重圧で生じる折れや断線による短絡の発生を解決することができる、という効果を奏する。
【図面の簡単な説明】
【００１０】
【図１】本考案の第１の実施の形態における発熱パッドを示す図
【図２】同発熱パッドを分解して示す図
【図３】本考案の第２の実施の形態における発熱パッドを示す図
【図４】本考案の第３の実施の形態における発熱パッドを示す図
【図５】同発熱パッドの使用状態を示す図
【図６】本考案の第４の実施の形態における発熱パッドを示す図
【図７】本考案の第５の実施の形態における発熱パッドを示す図
【図８】図７のＡ−Ａ線断面を示す図
【図９】同発熱パッドの特に発熱部品を示す図
【図１０】同発熱パッドの構造を示す図
【図１１】図１０のＢ−Ｂ線断面を示す図
【図１２】本考案の第６の実施の形態における発熱パッドの特に弾性パッド体を示す図
【図１３】同発熱パッドの特に発熱部品を示す図
【図１４】従来の発熱装置の第１の例を示す図
【図１５】従来の発熱装置の第２の例を示す図
【図１６】図１５のＣ−Ｃ線断面を示す図
【図１７】従来の発熱装置の第３の例を分解して示す図
【図１８】同発熱装置を組み立てた状態を示す図
【考案を実施するための形態】
【００１１】
次に、この考案を実施するための形態について図を用いて説明する。この考案の発熱バッドは、例えば、衣服、布団、絨毯、床パッド、机シート、壁シート、腰パッド、保護パッド、靴パッド、スカーフ、マット、イスパッド、背中パッド、座席パッド、ソファシート、エクササイズシート、雪除去シート、ソファシート又はベッドパッドなどの保温物品の上に用いられる。
【００１２】
図１及び図２に第１の実施の形態を示している。図１及び図２に示すように、発熱パッドは、軟質防水発熱パッド構造５０であり、発熱部品５１を２つの接着フィルム５２ａ、５２ｂの間に設け、これを高周波溶着によりラミネートして、発熱部品５１が２つの接着フィルム５２ａ、５２ｂからなるラミネート層の中に固定される。このようにして各種の場所に使用し、また各種の保温製品に設けられる発熱構造が形成される。
【００１３】
軟質防水発熱パッド構造５０は、発熱部品５１及び２つの接着フィルム５２ａ、５２ｂを備えてなる。発熱部品５１はフレキシブルな炭素繊維、金属繊維或いはグラファイト繊維の発熱線で、少なくとも１つの発熱線５１１が含まれる。この発熱線５１１の両端に２本の電線５１２ａ、５１２ｂがそれぞれ端子５１３ａ、５１３ｂを介して接続されて電流パスが形成され、これらの電線５１２ａ、５１２ｂにメスの繋ぎである第１コネクター５１２を備える。また、この第１コネクター５１２に差し込み、発熱線５１１に電源を送り、発熱線５１１に熱エネルギーを生じさせるためのオスの繋ぎである第二コネクター５１４を備える。この第２コネクター５１４に一本の電線５１４ａによって、変圧器５１４ｂとプラグ５１４ｃに接続される。そして、２本の電線５１２ａ、５１２ｂと軟質防水発熱パッド構造５０の繋ぎ目を付着させ、２本の電線５１２ａ、５１２ｂと軟質防水発熱パッド構造５０の繋ぎ目との間の密閉性、防水性を確保するため、そこに防水接着材料からなる接着層５１５を備える。
【００１４】
また、この発熱パッドの場合、一般の電源１００〜２４０  ＶＡＣ／１２〜２４  ＶＤＣの変圧器を使用して、各種の保温物品、例えばベッドパッド、ソファシート、床パッド、絨毯、座席パッド、背もたれパッドの中に用いることができ、靴パッドや衣服に用いる場合は、乾電池電源を使用することができ、イスパッドに用いる場合は、コンピューターのＵＳＢに接続するか、またはコンピューターの電源を使用することができ、車の座席パッドに用いる場合は、車用のタバコ着火装置を電源として使用することができる。なお、図３に示すように、第２コネクター５１４と変圧器５１４ｂとの間に温調器５１４ｄが接続されてもよく、これにより、電流量を制御して発熱線５１１の温度を変化させることができる。
【００１５】
また、２つの接着フィルム５２ａ、５２ｂは、透明又は不透明の耐高温型プラスチック、シリコンまたはゴムの何れかから形成される。発熱線５１１と発熱線５１１の両端につなぐ電線５１２ａ、５１２ｂを２つの接着フィルム５２ａ、５２ｂ内に設けて、２つの接着フィルム５２ａ、５２ｂをプリセットした形で高周波溶着によりラミネートする。この場合、図１に示すように、発熱線５１１をラミネートした第１結合部６０ａと第２結合部６０ｂの間に固定する。そして、２つの接着フィルム５２ａ、５２ｂの外縁をラミネートして、これらの接着フィルム５２ａ、５２ｂを外縁の第３結合部６０ｃによって付着し、一片状の軟質防水発熱パッドとする。
【００１６】
図３に第２の実施の形態を示している。図３に示すように、この発熱パッドでは、第１の実施の形態の第一結合部６０ａと第二結合部６０ｂを部分的にラミネートして、発熱線５１１を部分的にラミネートした第１結合部６０ａと第２結合部６０ｂの間に固定する。
【００１７】
図４に第３の実施の形態を示している。図４に示すように、この発熱パッドでは、軟質防水発熱パッド構造５０は、一つの発熱部品５１を複数の開き穴７０を有する２つの接着フィルム５２ａ、５２ｂの中に設け、これらの接着フィルム５２ａ、５２ｂを高周波溶着によりラミネートして、２つの接着フィルム５２ａ、５２ｂからなるラミネート層に固定するようになっている。発熱部品５１の構造及びこれを２つの接着フィルム５２ａ、５２ｂの間に固定する技術は、第１の実施の形態と同様なので、ここではそれ以上に述べないことにする。
【００１８】
この発熱パッドは、孔が必要となる商品に設けられて、発熱パッド構造の柔軟性を向上させることができる。図５に示すように、複数の開き穴７０を有する軟質防水発熱パッド構造５０は、複数の孔を有するマット８０内に設けられる。マット８０は、複数の孔を有する編みマットで、このマット８０が屋外で用いられる場合、このマット８０の上に霜が降りたり雪が積もったときに、発熱パッドの発熱により霜や雪を溶かして、２つの接着フィルム５２ａ、５２ｂの開き穴７０から排出することができる。このマット８０が屋内で用いられる場合、２つの接着フィルム５２ａ、５２ｂ上の開き穴７０によって、水溜りを防ぐことができる。また、座席パッドに用いられる場合は、２つの接着フィルム５２ａ、５２ｂ上の開き穴７０によって、通気性がよくなり、快適性が向上する。
【００１９】
図６に第４の実施の形態を示している。図６に示すように、発熱パッドは、ソファシート、床パッド、絨毯、エクササイズシート又はベッドパッドに用いられる長方形の構造になっている。この発熱パッドは第１の実施の形態のものと比較すると、次の点が相違する。
（１）第１の実施の形態のものは、２つの接着フィルム５２ａ、５２ｂが正方形であったが、この実施の形態では、２つ接着フィルム５２ａ、５２ｂが長方形になっている。
（２）第１の実施の形態のものは、一つの発熱部品５１を備えるが、この実施の形態では、複数の発熱線、例えば、１６本の発熱線４１１、４１２、４１３、４１４、４１５、４１６、４１７、４１８、４１９、４２０、４２１、４２２、４２３、４２４、４２５、４２６を備え、これらの発熱線を二本で一組とし、電線５１２ａ、５１２ｂに接続される。
そして、発熱線は炭素繊維、金属繊維又はグラファイト繊維で作られ、必要に応じて、異なる抵抗や電流を各種の異なるパラメーターにプリセットして、各種の異なる商品のニーズに合わせて使用するものとし、最高の使用効率が得られるようになっている。
【００２０】
図７〜図１１に第５の実施の形態を示している。この実施の形態では、方形の発熱パッドがイスパッド、背中パッド又は座席パッドの中に用いられる。なお、発熱パッドの形状はこれ以外のどのような形状でもよく、例えば円形、楕円形又は不規則形でもよく、いずれも本考案の範囲内に含まれるものである。図７〜図１１に示すように、発熱パッドは弾性発熱パッドで、弾性パッド体３００、熱エネルギーを供給する発熱部品４０、及び発熱部品４０を固定する接着層５００を備えてなる。パッド体３００はラテックス（Ｌａｔｅｘ）又はポリウレタン（ＰＵ）の発泡材、又は弾性繊維綿のフォーム状構造又は綿層状構造で、形状は様々な形、例えば正方形、長方形、円形、楕円形に形成され、また、表面に凸凹のあるカーブ状のイスパッド、背中パッド、又は座席パッドとして形成されてもよい。このパッド体３００はまた、発熱線４１０を封入するために適当な深さを有する切取り線３１０が設けられる。パッド体３００は弾性構造なので、発熱線４１０が切取り線３１０内に封入されやすいように、切取り線３１０は各種の形状、例えば、図７に示すように、直線とカーブ形状からなる形、図１２に示すように、複数の直線からなる形に形成される。そして、切取り線３１０の両端の開口は、パッド体３００の端面上に設けられ、両端の開口のところに固定口３２が設けられて、この固定口３２にシリコン材質で２本の電線４２ａ、４２ｂを固定する防水機能を有する固定部３２１が設けられる。発熱部品４０は、切取り線３１０内の発熱線４１０、発熱線４１０の両端につなぐメスコネクター４２、電源を発熱線４１０に送るためにメスコネクター４２に差し込まれるオスコネクター４３を備えてなる。発熱線４１０は、フレキシブルな炭素繊維、金属繊維又はグラファイト繊維の発熱線である。メスコネクター４２は発熱線４１０の両端をつなぐための二本の電線４２ａ、４２ｂが設けられ、オスコネクター４３は一本の電線４３ａが設けられ、この電線４３ａに変圧器４３ｂとプラグ４３ｃがつなげられる。接着層５００は接着材料からなり、パッド体３００上にある切取り線３１０内に塗布されて、切取り線３１０、切取り線３１０内にある発熱線４１０、そして発熱線４１０につなぐ２本の電線４２ａ、４２ｂが付着される。また、図１０に示すように、オスコネクター４３と変圧器４３ｂとの間には温調器４４が設けられる。
【００２１】
図１２、図１３に第６の実施の形態を示している。この実施の形態では、長方形の発熱パッドがソファシート、エクササイズシート、床パッド又はベッドパッドの上に用いられる。なお、発熱パッドの形状はこれ以外のどのような形状でもよく、例えば円形、楕円形又は不規則形でもよく、いずれも本考案の範囲内に含まれるものである。図１２、図１３に示すように、この発熱パッドは第５の実施の形態のものと比較すると、次の点が相違する。
（１）第５の実施の形態のパッド体３００は正方形であったが、この実施の形態では、パッド体３００は長方形になっている。
（２）第５の実施の形態のものは一本の発熱線４１０を備えるが、この実施の形態では複数の発熱線、例えば、１６本の発熱線４１１、４１２、４１３、４１４、４１５、４１６、４１７、４１８、４１９、４２０、４２１、４２２、４２３、４２４、４２５、４２６が設けられ、これらの発熱線は二本で一組とし、電線４２ａ、４２ｂと接続される。
そして、使用される該発熱線は、必要に応じて、異なる抵抗や電流を各種の異なるパラメーターにプリセットして、各種の異なる場所又は各種の異なる商品のニーズに合わせて使用するものとし、最高の使用効率が得られるようになっている。
【００２２】
以上、第１の実施の形態乃至第６の実施の形態により、既述の従来の課題をすべて解決することができる。
【００２３】
なお、本考案の発熱パッドについて図面に基づいて詳しく説明したが、図面は本考案の好ましい実施の形態を示すだけのもので、この図面によって実用新案登録請求の範囲が限定されるものではなく、本考案の意図と一致するすべての改変はすべて、本考案の実用新案登録請求の範囲に属するものである。
【符号の説明】
【００２４】
１０  金属発熱線
１１  縫い線
１２  網
２０  銀ペースト
２０ａ、２０ｂ  接着フィルム
３０ａ、３０ｂ  接着フィルム
３０  金属合金線
３１  発熱装置
５０  軟質防水発熱パッド構造
５１  発熱部品
５１１  発熱線
５１２  第一コネクター
５１２ａ、５１２ｂ  電線
５１３ａ、５１３ｂ  端子
５１４  第二コネクター
５１４ａ  電線
５１４ｂ  変圧器
５１４ｃ  プラグ
５１４ｄ  温調器
５１５  接着層
５２ａ、５２ｂ  接着フィルム
６０ａ  第一結合部
６０ｂ  第二結合部
６０ｃ  第三結合部
７０  開き穴
８０  マット
３００  パッド体
３１０  切取り線
３２  固定口
３２１  固定部
４０  発熱部品
４１０  発熱線
４２、４３  コネクター
４２ａ、４２ｂ、４３ａ  電線
４３ｂ  変圧器
４３ｃ  プラグ
４４  温調器
５００  接着層
４１１、４１２、４１３、４１４、４１５、４１６、４１７、４１８、４１９、４２０、４２１、４２２、４２３、４２４、４２５、４２６  発熱線
【図１】
0003168324.tif 000003
【図２】
0003168324.tif 000004
【図３】
0003168324.tif 000005
【図４】
0003168324.tif 000006
【図５】
0003168324.tif 000007
【図６】
0003168324.tif 000008
【図７】
0003168324.tif 000009
【図８】
0003168324.tif 000010
【図９】
0003168324.tif 000011
【図１０】
0003168324.tif 000012
【図１１】
0003168324.tif 000013
【図１２】
0003168324.tif 000014
【図１３】
0003168324.tif 000015
【図１４】
0003168324.tif 000016
【図１５】
0003168324.tif 000017
【図１６】
0003168324.tif 000018
【図１７】
0003168324.tif 000019
【図１８】
0003168324.tif 000020
【手続補正書】
【提出日】平成23年3月24日(2011.3.24)
【手続補正１】
【補正対象書類名】実用新案登録請求の範囲
【補正対象項目名】請求項１
【補正方法】変更
【補正の内容】
【請求項１】
２つの接着フィルムが高周波溶着によりラミネートされてなるラミネート層と、
少なくとも、フレキシブルな炭素繊維、金属繊維又はグラファイト繊維の何れかの一つの発熱線を含み、前記ラミネート層の中に固定される発熱部品と、
前記発熱線の両端にそれぞれ端子を介して接続され、電流パスを形成する２本の電線、及び前記２本の電線に接続される第１コネクターと、
前記第１コネクターに差し込み、前記発熱線に電源を送るための第２コネクター、前記第２コネクターに１本の電線で接続される変圧器及びプラグと、
前記ラミネート層の前記２本の電線が挿通される部分に付着される、防水材料からなる接着層と、
を備えてなる、
ことを特徴とする発熱パッド。